【事件の表示】
　平成　５年特許願第１２８２８１号「仮想指示処理装置」拒絶査定不服審判事件〔平成　６年１１月　８日出願公開、特開平　６−３１４３３０〕について、次のとおり審決する。
【結　論】
　本件審判の請求は、成り立たない。
【理　由】
１．手続の経緯・本願発明
　本願は、平成５年４月３０日の出願であって、平成１３年４月２７日付け、平成１３年７月２３日付けの手続補正書によって補正された明細書及び図面の記載からみて、本願請求項１に係る発明は、特許請求の範囲の請求項１に記載された次のとおりのものと認める。（以下、「本願発明」という。）。
「【請求項１】　複数の仮想指示対象を指示対象画像として表示する表示手段と、オペレータによる実際の指示操作を指示操作画像として撮像する撮像手段と、上記撮像手段で撮像された指示操作画像により指示される指示位置が、上記表示された指示対象画像内の何れかの仮想指示対象の表示位置にあるか否かを判別する判別手段と、上記判別手段で上記何れかの仮想指示対象の表示位置にあることを判別した際に、その表示位置にある仮想指示対象を、オペレータにより実際に指示される仮想指示対象として検出する指示検出手段と、を具備したことを特徴とする仮想指示処理装置。」
　
２．引用例
  原審の拒絶理由に引用された、特開平４−１９２０６６号公報（公開日平成４年７月１０日）（以下、「引用例１」という。）には、図面とともに次の事項が記載されている。
ア．「尚上記両デ−タベ−スは複数の商品に対応するデ−タを持ち、これらデ−タより被体験商品を選択自在としている。」（２頁右上欄１３行−１５行）、
　
イ．「〔作用〕
本発明によれば、ゴーグル型ディスプレィに映し出されるコンピュータグラフィックの立体映像により恰も目の前に実際の商品かあって、それを見ているような感覚が味わえ、しかも映像が被体験者の動きに応じた視点で映し出されることになり、商品の外観確認が疑似体験できる。また手を動かすことにより、映像上の仮想空間で商品を操作することができ、商品の働き、特性を擬似的に体験できる。
〔実施例〕
　以下本発明を実施例により説明する。
第１図は本発明の実施例の概略構成を示しており、被体験者Ｍの顔面に装着するゴーグル型ディスプレィ１と、データグローブ２及び磁気センサ３と、ヘッドフォン４とからなる被体験者側装置を設け、また各商品の３次元形状データを格納したデータベース５と、各商品の特性データを格納しデータベース６と、上記データグローブ２からの検出情報と、磁気センサ３からの検出情報とを取り込んで、被体験者Ｍの３次元位置、顔面の方向及び音源の位置を求めるとともにコンピュータグラフィック（ＣＧと略す）の視点及び参照点を求める制御用コンピュータ７と、制御用コンピュータ７で求めた視点、参照点のデータを基に各データベース５、６のデータからＣＧを描画作成する左眼用描画コンピュータ８Ａ、右眼用描画コンピュータ８Ｂと、これら描画コンピュータ８Ａ、８Ｂからの画像信号を低解像度のゴーグル型ディスプレィｌ用の画像信号に変換するスキャンコンバータ９Ａ、９Ｂと、これら変換された画像信号をゴーグル型ディスプレィｌに映像信号として送るためのディスプレィユニット１０と、上記制御用コンピュータ７で求めた被体験者Ｍの３次元位置、顔面の方向及び音源の位置の情報を基に上記ヘッドフォン４の左右両耳用の音信号を生成する音制御ユニット１１と、音信号を増幅してヘッドフォン４に与えるヘッドフォンアンプ１２と、上記データグローブ２と制御用コンピュータ７との間に介在してデータグローブ２の検出信号を制御用コンピュータ７へ検出情報として与えるためのデータグローブユニット１３と、上記磁気センサ３からの検出信号を制御用コンピュータ７へ検出情報として与えるための磁気センサユニット１４とから構成される。
　ゴーグル型ディスプレィｌはゴーグル型の本体に小型の液晶ディスプレィを左右の眼に対応して配置して、この左右の液晶ディスプレィに映し出された映像を被体験者Ｍの視角一杯に広げて見せるためのもので、両側の液晶ディスプレィにはそれぞれ両眼に対応して左、右眼用描画コンピュータ８Ａ、８Ｂで作成されたＣＧが映し出されことにより、被体験者Ｍは商品の立体映像を見ることになる。
　データグローブ３は手袋状になつており、手の甲の位置には手の動きと位置を検出する３次元センサを設け、また各指に相当する部分にはオプティカルファイバーケーブルを配設し、指の曲げ角度の変化をオプティカルファイバーケーブルを通す光量の変化として取り出すことができるようになつているもので、検出信号をデータグローブユニット１３を通じて制御用コンピュータ７に与える。
　磁気センサ４は被体験者Ｍの頭部に取り付けるもので、被体験者Ｍの居る部屋等の空間の磁界内における出力変化で被体験者Ｍの３次元位置及び顔面の方向の合計６座標値を検出し、その検出信号を磁気センサユニット１１を通じて制御用コンピュータ７に伝達する。
　ヘッドフォン１２は左右両耳で３次元音場の音を得るためのものである。
而して、被体験者Ｍの動きは磁気センサ３により検出され、被体験者Ｍの３次元位置、及び顔面の方向の検出情報が制御用コンピュータ７に伝達される。制御用コンピュータ７はその情報に基づいてＣＧの視点と、参照点等描画に必要なデータを生成して描画コンピュータ８Ａ、８Ｂに伝達する。同時に音源の位置及び被体験者Ｍの３次元位置を求めデータを音制御ユニット１１に伝達する。描画コンピュータ８Ａ、８Ｂは制御用コンピュータ７で求めたＣＧの視点と、参照点等描画に必要なデータを基にデータベース５、６のデータから描画を行い、ゴーグル型ディスプレィ１にスキャンコンバータ９Ａ、９Ｂ及びディスプレィユニットｌ０を通じて映像信号を伝達し、ゴーグル型ディスプレィｌの左右の液晶ディスプレィに左眼、右眼に対応するＣＧの映像を映し出す。従つて被体験者Ｍは視差によつてＣＧによる商品の立体映像を見るため、仮想の３次元空間に自分かあたかも埋没しているような感覚となる。また磁気センサ３が検知する３次元位置や、顔面の方向は連続的に制御用コンピュータ７に送られるため、被体験者の動きに対応してＣＧは時々刻々変化していき、恰も実際の商品を色々な角度から見ているような感覚が味わえることになる。更に被体験者Ｍの手に装着したデータグローブ２により指の位置、曲げ角度の検出情報が制御用コンピュータ７に送られるため、仮想の３次元空間で商品を掴んで動かすというようなことができる。」（２頁左下欄２行−３頁左下欄１４行）、
　
ウ．「上記実施例の３次元形状データベース５は制御用コンピュータ７及び描画コンピュータ８Ａ、８Ｂで動作するソフトウエアに依存した形のデータベースであるが、第２図に示すような構成でデータベース５を構築してもよい。
　つまり、この場合例えばシステムキツチンの形状データベース５Ａ、照明器具のデータベース５Ｂ、内装、外装建材の形状データベース５Ｃ１住宅設備機械の形状データベース５Ｄ、その他の付設商品の形状データベース５Ｅの複数のデータベースを持ち、これらデータベース５Ａ〜５ＥをデータベースコンバージヨンソフトウエアＡ−Ｅにより、第１図実施例のデータベース５に対応するように選択変換すれば、全ての商品が本システムで体験可能となる。」（２頁左下欄２行−３頁左下欄１４行）、
　
と記載されているから、これらの記載より引用例１には次のことが記載されている。
「被体験者Ｍの顔面に装着するゴーグル型ディスプレィ１と、データグローブ２及び磁気センサ３とを有する被体験者側装置を設け、また各商品の３次元形状データを格納したデータベース５と、各商品の特性データを格納しデータベース６と、上記データグローブ２からの検出情報と、磁気センサ３からの検出情報とを取り込んで、被体験者Ｍの３次元位置、顔面の方向を求めるとともにコンピュータグラフィック（ＣＧと略す）の視点及び参照点を求める制御用コンピュータ７と、制御用コンピュータ７で求めた視点、参照点のデータを基に各データベース５、６のデータからＣＧを描画作成する左眼用描画コンピュータ８Ａ、右眼用描画コンピュータ８Ｂと、これら描画コンピュータ８Ａ、８Ｂからの画像信号を低解像度のゴーグル型ディスプレィｌ用の画像信号に変換するスキャンコンバータ９Ａ、９Ｂと、これら変換された画像信号をゴーグル型ディスプレィｌに映像信号として送るためのディスプレィユニット１０と、上記データグローブ２と制御用コンピュータ７との間に介在してデータグローブ２の検出信号を制御用コンピュータ７へ検出情報として与えるためのデータグローブユニット１３と、上記磁気センサ３からの検出信号を制御用コンピュータ７へ検出情報として与えるための磁気センサユニット１４とから構成される商品疑似体験ショウルームシステムにおいて、
　上記ゴーグル型ディスプレィｌは、左右の液晶ディスプレィに左眼、右眼に対応するＣＧの映像を映し出し、被体験者Ｍに視差によつてＣＧによる商品の立体映像を見せ、
　上記データグローブ２は、手袋状になつており、手の甲の位置には手の動きと位置を検出する３次元センサを設け、また各指に相当する部分にはオプティカルファイバーケーブルを配設し、指の曲げ角度の変化をオプティカルファイバーケーブルを通す光量の変化として取り出すことができるようになつているもので、検出信号をデータグローブユニット１３を通じて制御用コンピュータ７に与え、
　上記データグローブユニット１３は、上記データグローブ２と上記制御用コンピュータ７との間に介在して上記データグローブ２の検出信号を上記制御用コンピュータ７へ検出情報として与え、
　上記磁気センサ４は、被体験者Ｍの頭部に取り付けるもので、被体験者Ｍの居る部屋等の空間の磁界内における出力変化で被体験者Ｍの３次元位置及び顔面の方向の合計６座標値を検出し、その検出信号を上記磁気センサユニット１１を通じて上記制御用コンピュータ７に伝達し、
　上記制御用コンピュータ７はその情報に基づいてＣＧの視点と、参照点等描画に必要なデータを生成して描画コンピュータ８Ａ、８Ｂに伝達し、仮想の３次元空間で商品を掴んで動かすというような、手を動かすことにより、映像上の仮想空間で商品を操作することができることを特徴とする商品疑似体験ショウルームシステム。」
　
３．対比
　そこで、本願発明と引用例１の発明とを比較すると、
引用例１の「商品」は、被体験者により仮想の３次元空間で掴んで動かす対象であることから、仮想対象に相当し、
引用例１の「商品の立体映像」は、対象画像に相当し、
引用例１の「ゴーグル型ディスプレィ１」は、表示手段に相当し、
引用例１の「仮想の３次元空間で商品を掴んで動かす」は、オペレータによる実際の操作に相当し、
引用例１の「商品疑似体験ショウルームシステム」は、映像上の仮想空間で商品を操作することができることから、仮想処理装置に相当し、
引用例１の「制御用コンピュータ７」は、検出、制御を行うものであるから以下の相違点を除いて、本願発明の「判別手段」および「指示検出手段」に相当し、
引用例１は、仮想空間上で商品を操作するものであり、本願発明は、特許請求の範囲には記載されていないが、実施例においては、仮想的なキー入力をすることが記載されているから、「指示」については大きな意味では同じであるが、一応相違点として判断するので、「指示」を除いて一致点を判断する。
　両者は
「仮想対象を対象画像として表示する表示手段と、オペレータによる実際の操作により特定される位置が、上記表示された対象画像内の何れかの仮想対象の表示位置にあるか否かを判別する判別手段と、上記判別手段で上記何れかの仮想対象の表示位置にあることを判別した際に、その表示位置にある仮想対象を、オペレータにより実際に特定される仮想対象として検出する検出手段と、を具備したことを特徴とする仮想処理装置。」
で一致し、以下の点において相違する。
　
（相違点）
（相違点１）
　本願発明は、複数の仮想指示対象を指示対象画像として表示する表示手段を設けているのに対し、引用例１は、個数が不明である商品すなわち仮想対象の立体映像を表示するゴーグル型ディスプレィ１を設けている点。
（相違点２）
　本願発明は、オペレータによる実際の指示操作を指示操作画像として撮像する撮像手段を設けているのに対し、引用例１は、手袋状になつており、手の甲の位置には手の動きと位置を検出する３次元センサを設け、また各指に相当する部分にはオプティカルファイバーケーブルを配設し、指の曲げ角度の変化をオプティカルファイバーケーブルを通す光量の変化として取り出すことができるようになつているデータグローブ２および上記データグローブの検出信号を検出情報とするデータグローブユニット１３を設けている点。
（相違点３）
　本願発明は、撮像手段で撮像された指示操作画像により指示される指示位置が、表示された指示対象画像内の何れかの仮想指示対象の表示位置にあるか否かを判別する判別手段を設けているのに対し、引用例１は、入力された情報から被体験者による操作を判別する処理を行う制御用コンピュータ７を設けている点。
（相違点４）
　本願発明は、指示位置が判別手段で何れかの仮想指示対象の表示位置にあることを判別した際に、その表示位置にある仮想指示対象を、オペレータにより実際に指示される仮想指示対象として検出する指示検出手段を設けているのに対し、引用例１は、被体験者の手により操作される仮想対象を検出する制御コンピュータ７を設けている点
　　
４．当審の判断
（１）上記相違点１について
　引用例１のア、ウの記載から、３次元形状データベース５は、システムキッチンの形状データベース、照明器具のデータベース、その他の付設商品のデーターベースのごとく複数の商品のデータを持ち、これらのデータより被体験商品を選択自在としていることが示されており、実際のシステムキッチンに照明器具、その他の付設商品が存在することは当然であることから、引用例１のゴーグル型ディスプレィ１でシステムキッチンを仮想体験するのにシステムキッチンのみで無く、照明器具、その他の付設商品等の複数の商品を同時に表示させて商品疑似体験させるような複数の商品すなわち複数の仮想対象を表示させることは当業者が必要に応じて適宜選択しうる程度のことにすぎない。
　また、複数の仮想指示対象を指示対象画像として表示する表示手段は普通に知られており（例えば、特開平４−２７１４２３号公報、特開平２−１３２５１０号公報等参照）、引用例１および周知技術は被体験者の手により操作される仮想対象を表示手段に表示する技術では同じであるので、引用例１のゴーグル型ディスプレィに複数の仮想指示対象を指示対象画像として表示することは当業者が容易に実施し得るものと認められる。
（２）上記相違点２について
  オペレータによる実際の指示操作を指示操作画像として撮像する撮像手段は普通に知られていることから（例えば、特開平４−２７１４２３号公報、特開平２−１３２５１０号公報等参照）、引用例１のデータグローブおよびデータグローブユニットの代わりにオペレータによる実際の支持操作を指示操作画像として撮像する撮像手段を設けることは当業者が容易に想到し得るものと認められる。
（３）上記相違点３について
　撮像手段で撮像された指示操作画像により指示される指示位置が表示された指示対象画像内の何れかの仮想指示対象の表示位置にあるか否かを判別することは普通に知られていることから（例えば、特開平４−２７１４２３号公報、特開平２−１３２５１０号公報（第２頁左下欄１−１８行）等参照）、引用例１の制御用コンピュータ７に撮像手段で撮像された指示操作画像により指示される指示位置が表示された指示対象画像内の何れかの仮想指示対象の表示位置にあるか否かを判別させることは当業者が容易に想到し得るものと認められる。
（４）上記相違点４について
  指示操作により指示される指示位置が何れかの仮想指示対象の表示位置にあることを判別した際に、その表示位置にある仮想指示対象を、オペレータにより実際に指示される仮想指示対象として検出することは普通に知られていることから（例えば、特開平４−２７１４２３号公報、特開平２−１３２５１０号公報（第４頁左下欄２０行−右下欄６行、第９図Ｂ）等参照）、引用例１の制御用コンピュータ７に指示操作により指示される指示位置が何れかの仮想指示対象の表示位置にあることを判別した際に、その表示位置にある仮想指示対象を、オペレータにより実際に指示される仮想指示対象として検出させる処理を行わせることは当業者が容易に想到し得るものと認められる。
　
５．むすび
　以上のとおり、本願発明は、引用例１に記載された発明、及び、周知技術に基づいて当業者が容易に発明をすることができたものであるから、特許法第２９条第２項の規定により特許を受けることが出来ない。
　よって、結論のとおり審決する。